(57)【要約】【課題】広告依頼者ウェブサイトの訪問ユーザ数を増加させ、さらに訪問ユーザの広告依頼者ウェブサイト内容への深い理解を促し高い広告効果を上げる。【解決手段】広告依頼者からの広告依頼をインターネットを通じ受付し、依頼者の広告希望ウェブページに広告システム運用者が発行したハイパーリンクを設置し、広告受給者に広告システム運用者が前記ハイパーリンクの所在を示唆するシナリオを提供することにより広告受給者に前記ハイパーリンクの探索を促し、前記ハイパーリンクにより広告システム運用者ウェブサーバに戻ってきた広告受給者の探索の進捗を広告受給者のクッキー情報により管理することにより広告効果を上げる。【選択図】図１
2006338645.tif 000002
【特許請求の範囲】
【請求項１】
インターネットに接続されたコンピュータシステムを利用した広告方法において、広告依頼者がインターネットに接続された広告依頼者の端末装置を用いて広告システム運用者のウェブサイトにアクセスし、広告依頼フォームにより広告依頼登録を行なう段階と、広告依頼フォームに記入された登録内容を広告システム運用者ウェブサーバがデータベースに登録する段階と、登録された情報をもとに広告システム運用者ウェブサーバが広告依頼者端末装置へ電子メールを用いて広告システム運用者ウェブサイトへの広告依頼者識別ＩＤを付加したハイパーリンクを発行する段階と、前記ハイパーリンクを広告依頼者が広告依頼者ウェブサイト内の広告を希望するウェブページに設置する段階とを備えることを特徴とするインターネットに接続されたコンピュータシステムを利用した広告方法。
【請求項２】
広告システム運用者はワールドワイド・ウェブ上の各広告依頼者ウェブサイト内に設置された請求項１に記載のハイパーリンクの設置場所を広告受給者に示唆し、且つ広告受給者がインターネットに接続された端末装置を用いて行なうワールドワイド・ウェブ上の各広告依頼者ウェブサイト内に設置された各広告依頼者の前記ハイパーリンク探索に物語性及びゲーム性を持たせる広告依頼者別シナリオを作成する段階と、作成した広告依頼者別シナリオを広告システム運用者ウェブサイト上の広告受給者用広告依頼者別シナリオページで広告受給者へ向けて掲示する段階と、掲示された情報をもとに広告受給者がインターネットに接続された端末装置を用いてワールドワイド・ウェブ上にある各広告依頼者ウェブサイト内の前記ハイパーリンクを探索する段階とを備えることを特徴とするインターネットに接続されたコンピュータシステムを利用した広告方法。
【請求項３】
広告受給者が請求項２に記載の広告システム運用者ウェブサイト内広告依頼者別シナリオページ参照時に、広告システム運用者ウェブサーバにより広告受給者端末装置内クッキー情報に、広告受給者が参照した広告依頼者別シナリオに対応する広告依頼者識別ＩＤを付加したハイパーリンク情報を広告依頼者別シナリオ終了条件として記録を行なう段階と、全広告依頼者別シナリオ終了条件を作成し、広告システム運用者ウェブサーバ内のデータベースに広告受給者端末装置内クッキー情報との比較用として記録し広告受給者全広告依頼者別シナリオ終了判定テーブルとする段階とを備える事を特徴とするインターネットに接続されたコンピュータシステムを利用した広告方法。
【請求項４】
広告受給者が請求項１に記載の各広告依頼者ウェブサイト内のハイパーリンクを探索の結果発見しクリックを行うことにより、広告受給者ウェブブラウザは広告依頼者ウェブサイトから広告システム運用者ウェブサイトへ移動する。移動時に広告システム運用者ウェブサーバが前記ハイパーリンク発行時に前記ハイパーリンクに付加した広告依頼者識別ＩＤを広告受給者端末装置ウェブブラウザのＨＴＴＰヘッダーのリクエストメソッド内環境変数により識別し、広告受給者がどの広告依頼者ウェブサイトの前記ハイパーリンクから来たのかを特定する段階を備える事を特徴とするインターネットに接続されたコンピュータシステムを利用した広告方法。
【請求項５】
広告受給者ウェブブラウザが請求項４に記載の方法を用いて広告受給者移動元の前記ハイパーリンクを特定された後、広告システム運用者ウェブサーバが広告受給者端末装置内のクッキー情報を取得参照する段階と、該クッキー情報に請求項４に記載の方法を用いて特定を行なった広告依頼者ウェブサイト内の前記ハイパーリンク情報が広告依頼者別シナリオ終了条件として記録されていない場合は、広告受給者ウェブブラウザを広告受給者端末装置内のクッキー情報に広告依頼者別シナリオ終了条件として記録されている広告依頼者識別ＩＤを付加したハイパーリンク情報に対応した広告依頼者別シナリオページに移動させる段階と、該クッキー情報に前記ハイパーリンク情報が広告依頼者別シナリオ終了条件として記録されている場合は、前記ハイパーリンクを広告受給者発見済みハイパーリンクとして広告受給者端末装置内のクッキー情報に記録を行う段階とを備え、請求項２に記載のシナリオにおける各広告受給者の進捗状況を各広告受給者端末装置内のクッキー情報で管理することを特徴とするインターネットに接続されたコンピュータシステムを利用した広告方法。
【請求項６】
請求項５に記載の方法において、請求項４に記載のハイパーリンク発見情報の記録を広告受給者端末装置内のクッキー情報へ行なった後、請求項３に記載の広告受給者全広告依頼者別シナリオ終了判定テーブルと広告受給者端末装置内の広告受給者発見済みハイパーリンククッキー情報を比較し広告受給者全広告依頼者別シナリオ終了判定を行なう段階と、判定結果が全ての広告依頼者別シナリオ終了の場合に全シナリオ終了者用ウェブページへ移動させる段階と、全ての広告依頼者別シナリオ未終了の場合にはハイパーリンク発見広告受給者用ウェブページへ移動させ、ハイパーリンク発見広告受給者用ウェブページにより自動的に次の広告依頼者別シナリオへ移動させる段階とを備えることを特徴とするインターネットに接続されたコンピュータシステムを利用した広告方法。
【請求項７】
請求項１に記載のハイパーリンクを各広告依頼者が各広告依頼者ウェブサイト内の広告を希望するウェブページに設置する方法において、各広告依頼者は広告システム運用者より発行されたハイパーリンクを任意の画像やテキストとして配置できることを特徴とするインターネットに接続されたコンピュータシステムを利用した広告方法。
【請求項８】
請求項２に記載のハイパーリンクの探索に物語性及びゲーム性を持たせる広告依頼者別シナリオを作成する方法において、全広告依頼者数に応じた全体シナリオを作成し、該全体シナリオ内に各広告依頼者ウェブサイト内に設置されたハイパーリンクのワールドワイド・ウェブ上の設置場所を示唆する広告依頼者別シナリオを作成することを特徴とするインターネットに接続されたコンピュータシステムを利用した広告方法。
【請求項９】
請求項５に記載の広告受給者端末装置内のクッキー情報にハイパーリンクの発見情報の記録を行なう方法において、記録を行なうクッキー情報に有効期限を設けて広告受給者端末装置に記録し、請求項６に記載の広告受給者全広告依頼者別シナリオ終了判定までの時間制限を設ける事を特徴とするインターネットに接続されたコンピュータシステムを利用した広告方法。
【発明の詳細な説明】
【技術分野】
【０００１】本発明はインターネット上でコンピュータシステムを利用した広告方法に関わり、特に、広告受給者が広告システム運用者の用意したシナリオに沿って自ら広告依頼者のウェブサイトを訪れるための広告システムに関する。
【背景技術】
【０００２】従来のインターネット上での主な広告方法はバナー広告と呼ばれ、広告依頼者ウェブサイトへのハイパーリンク画像を特定のウェブサイトに貼り付けることにより、バナー広告を掲載した特定ウェブサイトの訪問者を広告依頼者ウェブサイトへ誘導することが知られている。
【発明の開示】
【発明が解決しようとする課題】
【０００３】しかしながら、バナー広告の広告対象となる訪問者は、前記特定ウェブサイトへ何らかの目的を持って訪れているため、その目的を変更してバナーをクリックし広告依頼者のウェブサイトを訪れる頻度が低いという問題があった。また、バナーをクリックして広告依頼者ウェブサイトを訪れた場合でも、そのウェブサイトが広告であるという意識から掲載されている広告情報を十分に認識しようとする意思が希薄であるという問題もあった。【０００４】本発明は、以上の問題点に鑑み、インターネットに接続されたコンピュータシステムを利用した広告方法において、広告受給者が広告システム運用者のシナリオに基づき自発的に広告依頼者ウェブサイトを訪れ、広告依頼者ウェブサイト内の広告情報を十分に認識することを目的とする。
【課題を解決するための手段】
【０００５】上述の問題を解決するために、請求項１に記載の発明にあっては、インターネットに接続されたコンピュータシステムを利用した広告方法において、広告依頼者がインターネットに接続された広告依頼者の端末装置を用いて広告システム運用者のウェブサイトにアクセスし、広告依頼フォームにより広告依頼登録を行なう段階と、広告依頼フォームに記入された登録内容を広告システム運用者サーバがデータベースに登録する段階と、登録された情報をもとに広告システム運用者サーバが広告依頼者端末装置へ電子メールを用いて広告システム運用者ウェブサイトへの広告依頼者識別ＩＤを付加したハイパーリンクを発行する段階と、前記ハイパーリンクを各広告依頼者が各広告依頼者ウェブサイト内の広告を希望するウェブページに設置する段階とを備えることを特徴としている。請求項２に記載の発明にあっては、広告システム運用者はワールドワイド・ウェブ上の各広告依頼者ウェブサイト内に設置された請求項１に記載のハイパーリンクの設置場所を広告受給者に示唆し、且つ広告受給者がインターネットに接続された端末装置を用いて行なうワールドワイド・ウェブ上の各広告依頼者ウェブサイト内に設置された各広告依頼者の前記ハイパーリンク探索に物語性及びゲーム性を持たせる広告依頼者別シナリオを作成する段階と、作成した広告依頼者別シナリオを広告システム運用者ウェブサイト上の広告受給者用広告依頼者別シナリオページで広告受給者へ向けて掲示する段階と、掲示された情報をもとに広告受給者がインターネットに接続された端末装置を用いてワールドワイド・ウェブ上にある各広告依頼者ウェブサイト内の前記ハイパーリンクを探索する段階とを備えることを特徴としている。請求項３に記載の発明にあっては、広告受給者が請求項２に記載の広告システム運用者ウェブサイト内広告依頼者別シナリオページ参照時に、広告システム運用者ウェブサーバにより広告受給者端末装置内クッキー情報に、広告受給者が参照した広告依頼者別シナリオに対応する広告依頼者識別ＩＤを付加したハイパーリンク情報を広告依頼者別シナリオ終了条件として記録を行なう段階と、全広告依頼者別シナリオ終了条件を作成し、広告システム運用者ウェブサーバ内のデータベースに広告受給者端末装置内クッキー情報との比較用として記録し広告受給者全広告依頼者別シナリオ終了判定テーブルとする段階とを備える事を特徴としている。請求項４に記載の発明にあっては、広告受給者が請求項１に記載の各広告依頼者ウェブサイト内のハイパーリンクを探索の結果発見しクリックを行うことにより、広告受給者ウェブブラウザは広告依頼者ウェブサイトから広告システム運用者ウェブサイトへ移動する。移動時に広告システム運用者ウェブサーバが前記ハイパーリンク発行時に前記ハイパーリンクに付加した広告依頼者識別ＩＤを広告受給者端末装置ウェブブラウザのＨＴＴＰヘッダーのリクエストメソッド内環境変数により識別し、広告受給者がどの広告依頼者ウェブサイトの前記ハイパーリンクから来たのかを特定する段階を備える事を特徴としている。請求項５に記載の発明にあっては、広告受給者ウェブブラウザが請求項４に記載の方法を用いて広告受給者移動元の前記ハイパーリンクを特定された後、広告システム運用者ウェブサーバが広告受給者端末装置内のクッキー情報を取得参照する段階と、該クッキー情報に請求項４に記載の方法を用いて特定を行なった広告依頼者ウェブサイト内の前記ハイパーリンク情報が広告依頼者別シナリオ終了条件として記録されていない場合は、広告受給者ウェブブラウザを広告受給者端末装置内のクッキー情報に広告依頼者別シナリオ終了条件として記録されている広告依頼者識別ＩＤを付加したハイパーリンク情報に対応した広告依頼者別シナリオページに移動させる段階と、該クッキー情報に前記ハイパーリンク情報が広告依頼者別シナリオ終了条件として記録されている場合は、前記ハイパーリンクを広告受給者発見済みハイパーリンクとして広告受給者端末装置内のクッキー情報に記録を行う段階とを備え、請求項２に記載のシナリオにおける各広告受給者の進捗状況を各広告受給者端末装置内のクッキー情報で管理することを特徴としている。請求項６に記載の発明にあっては請求項５に記載の方法において、請求項４に記載のハイパーリンク発見情報の記録を広告受給者端末装置内のクッキー情報へ行なった後、請求項３に記載の広告受給者全広告依頼者別シナリオ終了判定テーブルと広告受給者端末装置内の広告受給者発見済みハイパーリンククッキー情報を比較し広告受給者全広告依頼者別シナリオ終了判定を行なう段階と、判定結果が全ての広告依頼者別シナリオ終了の場合に全シナリオ終了者用ウェブページへ移動させる段階と、全ての広告依頼者別シナリオ未終了の場合には前記ハイパーリンクの発見広告受給者用ウェブページへ移動させ、発見広告受給者用ウェブページにより自動的に次の広告依頼者別シナリオへ移動させる段階とを備えることを特徴としている。請求項７に記載の発明にあっては、請求項１に記載のハイパーリンクを各広告依頼者が各広告依頼者ウェブサイト内の広告を希望するウェブページに設置する方法において、各広告依頼者は広告システム運用者より発行されたハイパーリンクを任意の画像やテキストとして配置できることを特徴としている。請求項８に記載の発明にあっては、請求項２に記載のハイパーリンクの探索に物語性及びゲーム性を持たせる広告依頼者別シナリオを作成する方法において、全広告依頼者数に応じた全体シナリオを作成し、該全体シナリオ内に各広告依頼者サイト内に設置されたハイパーリンクのワールドワイド・ウェブ上の設置場所を示唆する広告依頼者別シナリオを作成することを特徴としている。請求項９に記載の発明にあっては、請求項５に記載の広告受給者端末装置内のクッキー情報にハイパーリンクの発見情報の記録を行なう方法において、記録を行なうクッキー情報に有効期限を設けて広告受給者端末装置に記録し、請求項６に記載の広告受給者シナリオ終了判定までの時間制限を設ける事を特徴としている。【０００６】請求項１に記載の発明によれば、広告依頼者はインターネットを通じて広告依頼を行ない、広告サービスを受ける方法についても電子メールを用いて広告システム運用者より送付されたハイパーリンクを広告を希望するウェブページに設置を行なうことのみであるため、インターネット上で簡便に広告手続きを行なうことができる。請求項２、８に記載の発明によれば、広告システム運用者は請求項１に記載の方法により受注した各広告依頼に対し広告依頼者別シナリオ、及び必要な場合は共通の全体シナリオを作成する。広告依頼者別シナリオには各広告依頼者ウェブサイト内のハイパーリンクをワールドワイド・ウェブ上から探索する為のヒントを含み、広告依頼者別シナリオを広告システム運用者ウェブサイトで広告受給者に公開することにより、広告受給者に探索という形で自発的に広告依頼者ウェブサイトへの訪問を促す事ができる。請求項３に記載の発明によれば、広告受給者の広告システム運用者が提供した広告依頼者別シナリオの終了条件は広告受給者端末装置内のクッキー情報の条件として定義され、前記ハイパーリンクのクリック時に広告システム運用者ウェブサイトにて行なわれる広告受給者の広告依頼者別シナリオの終了判定に用いられる。請求項４、５、６に記載の発明によれば、広告受給者の広告システム運用者が提供したシナリオに基づく前記ハイパーリンク探索の進捗管理は、広告受給者が広告依頼者ウェブサイト内に設置された前記ハイパーリンクを発見しクリックを行なうことにより移動した広告システム運用者サイトで行なわれる。前記ハイパーリンクがどの広告依頼者ウェブサイトのものであるかの判別は、前記ハイパーリンクに付加されている広告依頼者識別ＩＤを用いて行なわれる。また、広告受給者のシナリオ進捗管理及び広告受給者シナリオ終了判定は広告受給者端末装置内のクッキー情報に対して参照、書き込みを行うことにより行なう。これらクッキー情報を使用することにより、広告受給者は事前に登録などを行うことなく探索に参加できる。また、進捗管理クッキー情報を広告受給者側で改ざんすることは、前記ハイパーリンクに広告依頼者識別ＩＤを付加しているため事実上不可能であり、公正なクッキー情報による進捗管理を行なう事が出来る。請求項７に記載の発明によれば、広告依頼者は広告依頼者ウェブサイトに任意の画像やテキストとして前記ハイパーリンクを設置する事により、広告受給者の探索の難易度を上げて広告依頼者ウェブサイトでの広告受給者の滞在時間を長くすることが出来る。請求項９に記載の発明によれば、広告受給者端末装置内に記録するクッキー情報に有効期限を設けることにより、広告依頼者別シナリオにおける最初の広告依頼者ウェブサイト内ハイパーリンク発見から広告依頼者別シナリオにおける最後の広告依頼者ウェブサイト内ハイパーリンク発見までの時間が最初のハイパーリンクの発見時に記録されたクッキー情報の有効期限を超過した場合に広告受給者全広告依頼者別シナリオ終了判定の終了条件を満たさなくなるため、時間の制限という要素をハイパーリンクの探索に加えることが出来る。
【発明の効果】
【０００７】以上説明したように、本発明では広告受給者が自発的に広告依頼者のウェブサイトを訪れ、広告希望するウェブページ内のハイパーリンクの探索を行なうため、広告希望ページのみならず、広告依頼者サイト内の広い範囲に高い広告効果を上げるものである。
【発明を実施するための最良の形態】
【０００８】本発明を実施すための最良の形態を説明する前に、本願発明の基本概念を説明する。本願発明は、広告依頼者のウェブサイト及び、広告希望ページ内に設置されているハイパーリンクを探索する過程を娯楽として広告受給者に提供することを目的としている。娯楽として自ら広告受給者が探索することにより、広告希望ページの内容を深く印象付け、高い広告効果をもたらすものである。以下、本発明の実施形態について図面を参照して説明する。図１は本発明の実施形態にもとづく構成を表すブロック図である。この図において、符号１０は広告システム運用者ウェブサーバであり、経路制御装置、電話、光ファイバー等の回線設備及び携帯電話等の無線回線を経由してインターネットに接続されている。符号１１は広告依頼者端末装置であり、広告システム運用者ウェブサーバと同様にしてインターネットに接続されている。符号１２は広告依頼者ウェブサーバであり、広告システム運用者ウェブサーバと同様にしてインターネットに接続されている。符号１３は、広告依頼者ネットワークを表し、広告依頼者端末装置と広告依頼者ウェブサーバが同じ物理的ネットワークに接続されていることを表し、物理的に違うネットワークに接続されている場合も同一の運用者によって運用されていることを表している。符号１４は広告受給者端末装置であり、広告システム運用者ウェブサーバと同様にしてインターネットに接続されている。【０００９】本実施形態の動作について説明する。図２は広告依頼ウェブページのディスプレイを示す図である。広告依頼者は図１の広告依頼者端末装置を用いてインターネットに接続し、広告システム運用者ウェブサーバにアクセスを行い、図２に記載の広告依頼ページに申込者（担当者）氏名、法人名、メールアドレス、電話番号、広告を希望するＷＥＢページアドレス、サイト内容を記入の上、お支払方法の選択を行い申し込みボタンをクリックすることにより広告依頼が受理される。広告依頼受理と同時に、広告システム運用者ウェブサーバは広告依頼ページに記入された広告依頼者情報を該サーバ内のデータベースに記録し、広告依頼者番号の割り当てを行なう。その後、広告依頼者番号をＩＤとして付加した、広告依頼者識別ＩＤを付加したハイパーリンクを該サーバ内のデータベースに記録されている広告依頼者メールアドレス宛にインターネットメールを用いて送付する。広告システム運用者ウェブサーバは広告システム運用者によって定められた広告依頼者数及び広告依頼受付期間にどちらか一方が達するまで、引き続き広告依頼受付を行なう。【００１０】図６は、広告システム運用者が広告依頼者より広告依頼を受けたウェブページ例のディスプレイを示す図である。この図ではフルーツ王国という名前のフルーツをインターネットショッピングで提供するサイトを例示している。広告依頼者は広告システム運用者ウェブサーバより発行された、広告依頼者識別ＩＤを付加したハイパーリンクを広告希望ウェブページに任意の画像やテキストとして配置する。図６の符号１６は広告依頼者が広告システム運用者より受領した前記ハイパーリンクを画像として広告依頼者ウェブサイト内のウェブページに配置したものである。【００１１】次に広告システム運用者はワールドワイド・ウェブ上に広告依頼者が設置したハイパーリンクを広告受給者が探索する為のヒントとなる情報を、広告依頼者別シナリオとして作成する。広告依頼者別シナリオは広告依頼を受けた個々の広告依頼者の広告希望ウェブページごとに作成される。図３は、広告システム運用者が広告受給者用広告依頼者別シナリオとして広告システム運用者ウェブサイト上で掲示するウェブページ例のディスプレイを示す図である。前記広告依頼を受けたとして例示したウェブページ（フルーツ王国）の内容に基づき、（新鮮なフルーツを販売しているＷｅｂサイト。１００円均一のセールを実施している人気サイト。果物キングダム）と記載されている。これらのヒントを広告受給者は広告システム運用者ウェブサイトで確認し、ウェブ検索等の手段を用いて広告依頼者の広告希望ページに設置されているハイパーリンクの探索を開始する。広告システム運用者は広告受給者が広告依頼者別シナリオページ参照時に、参照した広告依頼者別シナリオに対応する広告依頼者識別ＩＤを付加したハイパーリンク情報を広告依頼者別シナリオ終了条件として広告受給者クッキー情報に記録する。また、全広告依頼者別シナリオ終了条件を作成し、広告システム運用者ウェブサーバ内のデータベースに広告受給者端末装置内クッキー情報との比較用として記録し広告受給者全広告依頼者別シナリオ終了判定テーブルとする。【００１２】広告受給者が探索の結果、図３に記載の符号１６の画像を目的のハイパーリンクと特定しクリックを行なう事により、広告受給者ウェブブラウザは広告依頼者ウェブサイトから広告システム運用者ウェブサイトへ移動する。移動時に広告システム運用者ウェブサーバが前記ハイパーリンク発行時に前記ハイパーリンクに付加した広告依頼者識別ＩＤを広告受給者端末装置ウェブブラウザのＨＴＴＰヘッダーのリクエストメソッド内環境変数により識別し、広告受給者がどの広告依頼者ウェブサイトの前記ハイパーリンク（この場合はフルーツ王国のハイパーリンク）から来たのかを特定する。【００１３】ハイパーリンクの特定後に、広告システム運用者ウェブサーバが広告受給者端末装置内のクッキー情報を取得参照し、前記特定したハイパーリンク情報が広告依頼者別シナリオの終了条件として広告受給者のクッキー情報に記録されていない場合は、広告受給者ウェブブラウザを広告受給者のクッキー情報に広告依頼者別シナリオ終了条件として記録されているハイパーリンクに対応する、広告依頼者別シナリオのページに移動させる。広告受給者のクッキー情報に前記特定した前記ハイパーリンク情報が広告依頼者別シナリオ終了条件として記録されている場合は、前記特定したハイパーリンクを広告受給者発見済みハイパーリンクとして広告受給者のクッキー情報に記録を行う。【００１４】前記特定したハイパーリンク発見情報の記録を広告受給者のクッキー情報へ行なった後、広告受給者全広告依頼者別シナリオ終了判定テーブルと広告受給者の広告受給者発見済みハイパーリンククッキー情報を比較して広告受給者全広告依頼者別シナリオ終了判定を行ない、判定結果が全ての広告依頼者別シナリオ終了の場合に全シナリオ終了者用ウェブページへ移動させる。図５は広告システム運用者が全シナリオ終了者用ウェブページとして広告システム運用者ウェブサイト上で掲示するウェブページ例のディスプレイを示す図である。全ての広告依頼者別シナリオを終了した広告受給者はこのページで登録を行なうことにより、探索完了となる。【００１５】また広告受給者全広告依頼者別シナリオ終了判定の結果、全広告依頼者別シナリオ未終了の場合、ハイパーリンクの発見広告受給者用ウェブページへ移動させ、発見広告受給者用ウェブページにより自動的に次の広告依頼者別シナリオページへ移動させることにより、引き続き広告受給者は探索を進めていく。図４は広告システム運用者がハイパーリンク発見広告受給者用ウェブページとして広告システム運用者ウェブサイト上で掲示するウェブページ例のディスプレイを示す図である。【００１６】また実施形態として広告依頼者が広告依頼者ウェブサイト内の広告を希望するウェブページに、広告システム運用者より発行されたハイパーリンクを設置する方法において、任意の画像やテキストとして配置できるため、例えば自社の新製品の写真をハイパーリンクとするなどして広告効果を上げることが出来る。【００１７】また実施形態として広告受給者のハイパーリンクの探索に物語性及びゲーム性を持たせる広告依頼者別シナリオを作成する方法において、全広告依頼者数に応じた全体シナリオを作成し、全体シナリオ内に広告依頼者別シナリオを作成することも可能である。例えば、関東地方の美味探訪を全体シナリオとして作成し、その全体シナリオのテーマに沿って関東地方に存在する各飲食店を広告依頼者として広告依頼者別シナリオを作成すること等が可能である。【００１８】また実施形態として、広告受給者発見済みハイパーリンクを広告受給者端末装置内のクッキー情報に記録を行うときに、記録を行なうクッキー情報に有効期限を設けて広告受給者端末装置に記録し、ハイパーリンクを発見してから広告受給者全広告依頼者別シナリオ終了判定を受けるまでの時間制限を設けることが出来る。時間制限を加えることで探索に対する娯楽性を高めたり、期限の切れたクッキー情報を再度手に入れるために広告依頼者ページを訪れるなど広告効果も高めることが出来る。【００１９】以上のように、本願発明のインターネットに接続されたコンピュータシステムを利用した広告方法は、広告受給者が広告依頼者サイトを自発的に探索、訪問する進捗状況の管理に広告受給者のクッキー情報を用いる。クッキー情報を用いることにより、広告受給者に対しシステムへの登録等の煩雑な手間をかけさせず、また広告システム運用者としては簡便に広告システムに対して一定のセキュリティーの確保ができるものである。また、広告受給者の探索意欲を高める為に、シナリオ終了者への賞金や商品の提供を行なうなど、種々の変更や改良を行なうことが可能である。本発明の範囲は請求の範囲の記載に基づいてのみ判断されるものである。
【図面の簡単な説明】
【図１】本発明の実施形態にもとづく構成を表すブロック図である。
【図２】同実施形態における広告依頼ウェブページのディスプレイを示す図である。
【図３】同実施形態における広告システム運用者が広告受給者用広告依頼者別シナリオとして広告システム運用者ウェブサイト上で掲示するウェブページ例のディスプレイを示す図である。
【図４】同実施形態における広告システム運用者がハイパーリンク発見広告受給者用ウェブページとして広告システム運用者ウェブサイト上で掲示するウェブページ例のディスプレイを示す図である
【図５】同実施形態における広告システム運用者が全シナリオ終了者用ウェブページとして広告システム運用者ウェブサイト上で掲示するウェブページ例のディスプレイを示す図である。
【図６】同実施形態における広告システム運用者が広告依頼者より広告依頼を受けたウェブページ例のディスプレイを示す図である。
【符号の説明】
１０・・・広告システム運用者ウェブサーバ
１１・・・広告依頼者端末装置
１２・・・広告依頼者ウェブサーバ
１３・・・広告依頼者ネットワーク
１４・・・広告受給者端末装置
１５・・・インターネット
１６・・・ハイパーリンク
【図１】
2006338645.tif 000003
【図２】
2006338645.tif 000004
【図３】
2006338645.tif 000005
【図４】
2006338645.tif 000006
【図５】
2006338645.tif 000007
【図６】
2006338645.tif 000008